(57)【要約】【課題】廃水の濃度変動がある場合でも、適切な量の水を添加し、メタン発酵処理設備の処理性能の低下と処理費用の増加を防止する有機性廃水の処理方法及び装置を提供する。【解決手段】有機性廃水をメタン発酵槽１６により嫌気性処理する有機性廃水の処理方法で、メタン発酵槽１６におけるメタン菌重量と、このメタン発酵槽１６に流入する被処理水の、メタン発酵を阻害する阻害物質濃度と単位時間当たりの流量とから、メタン発酵槽１６におけるメタン菌重量あたりの阻害物負荷量を求め、この阻害物負荷量を変化させた場合の、各阻害物負荷量毎の被処理水の前記阻害物質濃度に対するメタン発酵槽の有機物除去率の変化の関係を予め求めておき、この関係を用いて、メタン発酵槽１６の有機物除去率が所定の値になるように、有機性廃水に添加される希釈水の添加量と、この被処理水のメタン発酵槽１６への供給量とのいずれかまたは双方を調整する。【選択図】図１
2007237055.tif 000002
【特許請求の範囲】
【請求項１】
有機性廃水をメタン発酵槽により嫌気性処理する有機性廃水の処理方法であって、
前記メタン発酵槽におけるメタン菌重量と、このメタン発酵槽に流入する被処理水の、メタン発酵を阻害する阻害物質濃度と単位時間当たりの流量とから、前記メタン発酵槽における単位メタン菌重量あたりの阻害物負荷量を求め、
この阻害物負荷量を変化させた場合の、各阻害物負荷量毎の、被処理水の前記阻害物質濃度に対するメタン発酵槽の有機物除去率の変化の関係を予め求めておき、
この関係を用いて、前記メタン発酵槽の有機物除去率が所定の値になるように、前記有機性廃水に添加され前記被処理水中における前記阻害物質を希釈する希釈水の添加量と、この被処理水のメタン発酵槽への供給量とのいずれかまたは双方を調整して、被処理水の阻害物質濃度および前記メタン発酵槽における前記単位メタン菌重量当りの阻害物負荷量を決定する
ことを特徴とする有機性廃水の処理方法。
【請求項２】
阻害物質がアンモニアであり、被処理水のアンモニア濃度およびメタン発酵槽における単位メタン菌重量当りのアンモニア負荷量を決定することを特徴とする請求項１に記載の有機性廃水の処理方法。
【請求項３】
有機性廃水をメタン発酵槽により嫌気性処理する有機性廃水の処理方法であって、
前記メタン発酵槽におけるメタン菌重量と、このメタン発酵槽に流入する被処理水の、有機物濃度と単位時間当たりの流量とから、単位メタン菌重量当りの有機物負荷量を求め、
この有機物負荷量を変化させた場合の、各有機物負荷量毎の、被処理水の前記有機物濃度に対するメタン発酵槽の有機物除去率の変化の関係を予め求めておき、
この関係を用いて、前記メタン発酵槽の有機物除去率が所定の値になるように、前記有機性廃水に添加され前記被処理水中における前記有機物を希釈する希釈水の添加量と、この被処理水のメタン発酵槽への供給量とのいずれかまたは双方を調整して、被処理水の有機物濃度および前記単位メタン菌重量当りの有機物負荷量を決定する
ことを特徴とする有機性廃水の処理方法。
【請求項４】
有機性廃水に対して希釈水を添加する希釈貯留水槽と、
この希釈貯留水槽に設けられ、希釈水を添加された希釈貯留水槽内の被処理水中の、メタン発酵を阻害する物質濃度を測定する阻害物質測定手段と、
この希釈貯留水槽内の被処理水をメタン発酵槽に供給する流量調整機能を有する被処理水供給装置と、
前記メタン発酵槽に設けられたメタン菌重量測定手段と、
前記希釈貯留水槽に設けられた阻害物質測定手段により阻害物質濃度を求め、前記メタン発酵槽に設けられたメタン菌重量測定手段によりメタン発酵槽におけるメタン菌重量を求め、これらメタン発酵槽におけるメタン菌重量と、このメタン発酵槽に流入する被処理水中の前記阻害物質濃度と単位時間当たりの流量とから求まる、単位メタン菌重量当りの阻害物質負荷量を変化させた場合の、各阻害物質負荷量毎の被処理水の、前記阻害物質濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整する制御装置と
を備えたことを特徴とする有機性廃水の処理装置。
【請求項５】
阻害物質測定手段としてアンモニア濃度測定手段を用い、制御装置は、前記アンモニア濃度測定手段により測定されたメタン発酵槽に流入する被処理水中のアンモニア濃度と単位時間当たりの流量とから求まる、単位メタン菌重量当りのアンモニア負荷量を変化させた場合の、各アンモニア負荷量毎の、被処理水の前記アンモニア濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整することを特徴とする請求項４に記載の有機性廃水の処理装置。
【請求項６】
アンモニア濃度測定手段として、全窒素計を用い、測定された全窒素濃度からアンモニア濃度を得ることを特徴とする請求項５に記載の有機性廃水の処理装置。
【請求項７】
有機性廃水に対して希釈水を添加する希釈貯留水槽と、
この希釈貯留水槽に設けられ、希釈水を添加された希釈貯留水槽内の被処理水の浮遊物質を測定するＳＳ計と、
この希釈貯留水槽内の被処理水をメタン発酵槽に供給する流量調整機能を有する被処理水供給装置と、
前記メタン発酵槽に設けられたＳＳ計及び汚泥界面計と、
前記希釈貯留水槽に設けられたＳＳ計の値から被処理水の有機物濃度を求め、前記メタン発酵槽に設けられたＳＳ計及び汚泥界面計の値からメタン発酵槽におけるメタン菌重量を求め、これらメタン発酵槽におけるメタン菌重量と、このメタン発酵槽に流入する被処理水の有機物濃度と単位時間当たりの流量とから求まる、単位メタン菌重量当りの有機物負荷量を変化させた場合の、各有機物負荷量毎の、被処理水の前記有機物濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整する制御装置と
を備えたことを特徴とする有機性廃水の処理装置。
【発明の詳細な説明】
【技術分野】
【０００１】
本発明は、例えば、食品産業施設などからの有機性廃水をメタン発酵槽により嫌気性処理する有機性廃水の処理方法及び装置に関する。
【背景技術】
【０００２】
有機性廃水の処理方法の1つにメタン発酵法がある。嫌気性廃水処理法であるメタン発酵は、活性汚泥法等の好気性廃水処理法と比較して、空気の供給が不要なこと、生成したバイオガスを燃料として活用できる等、エネルギー面で利点がある。メタン発酵は廃水中に含まれる特定の物質(阻害物質)によって阻害を受けることが知られている(例えば、非特許文献１参照)。阻害によるメタン発酵性能の低減を防止するため、廃水を希釈し、阻害物質の濃度を低減する方法が提案されている(例えば、特許文献１参照)。
【非特許文献１】用水と廃水：Vol.31 No.1 (1989) p.21-25
【特許文献１】特公平２−１８９１４号公報
【発明の開示】
【発明が解決しようとする課題】
【０００３】
しかし、阻害物質の濃度を低減するために、廃水に水を添加して希釈すると、処理しなければならない廃水量は増加する。廃水量が増加するとメタン発酵処理設備の容量と設置面積が増加して設備の建設費用が増加する。さらに、処理設備の稼働に必要な消費電力量なども増加して設備の維持費用が増加する。したがって、水の添加量は処理に影響しない範囲で低いことが望まれる。
【０００４】
また、廃水の濃度は季節変動や時間変動などがある場合がある。この場合、廃水に含まれる阻害物質の濃度も変動する。これまで、廃水濃度と阻害物質と希釈水量との関係に関する明確な知見がないため、従来は経験則に基いて試行錯誤的に希釈水量を決定していた。このため、確実にメタン発酵処理を行うためには、最も高い廃水濃度に合わせて希釈水の添加量を設定することになり、結果として廃水濃度が低い場合には水の添加量が過剰となってしまう問題がある。
【０００５】
本発明の目的は、廃水の濃度変動がある場合でも、適切な量の水を添加し、メタン発酵処理設備の処理性能の低下と処理費用の増加を防止する有機性廃水の処理方法及び装置を提供することにある。
【課題を解決するための手段】
【０００６】
本発明による有機性廃水の処理方法は、有機性廃水をメタン発酵槽により嫌気性処理する有機性廃水の処理方法であって、前記メタン発酵槽におけるメタン菌重量と、このメタン発酵槽に流入する被処理水の、メタン発酵を阻害する阻害物質濃度と単位時間当たりの流量とから、前記メタン発酵槽における単位メタン菌重量あたりの阻害物負荷量を求め、この阻害物負荷量を変化させた場合の、各阻害物負荷量毎の、被処理水の前記阻害物質濃度に対するメタン発酵槽の有機物除去率の変化の関係を予め求めておき、この関係を用いて、前記メタン発酵槽の有機物除去率が所定の値になるように、前記有機性廃水に添加され前記被処理水中における前記阻害物質を希釈する希釈水の添加量と、この被処理水のメタン発酵槽への供給量とのいずれかまたは双方を調整して、被処理水の阻害物質濃度および前記メタン発酵槽における前記単位メタン菌重量当りの阻害物負荷量を決定することを特徴とする。
【０００７】
また、本発明方法では、阻害物質がアンモニアであり、被処理水のアンモニア濃度およびメタン発酵槽における単位メタン菌重量当りのアンモニア負荷量を決定する。
【０００８】
また、本発明の有機性廃水をメタン発酵槽により嫌気性処理する有機性廃水の処理方法は、前記メタン発酵槽におけるメタン菌重量と、このメタン発酵槽に流入する被処理水の、有機物濃度と単位時間当たりの流量とから、単位メタン菌重量当りの有機物負荷量を求め、この有機物負荷量を変化させた場合の、各有機物負荷量毎の、被処理水の前記有機物濃度に対するメタン発酵槽の有機物除去率の変化の関係を予め求めておき、この関係を用いて、前記メタン発酵槽の有機物除去率が所定の値になるように、前記有機性廃水に添加され前記被処理水中における前記有機物を希釈する希釈水の添加量と、この被処理水のメタン発酵槽への供給量とのいずれかまたは双方を調整して、被処理水の有機物濃度および前記単位メタン菌重量当りの有機物負荷量を決定する。
【０００９】
本発明による有機性廃水の処理装置は、有機性廃水に対して希釈水を添加する希釈貯留水槽と、この希釈貯留水槽に設けられ、希釈水を添加された希釈貯留水槽内の被処理水中の、メタン発酵を阻害する物質濃度を測定する阻害物質測定手段と、この希釈貯留水槽内の被処理水をメタン発酵槽に供給する流量調整機能を有する被処理水供給装置と、前記メタン発酵槽に設けられたメタン菌重量測定手段と、前記希釈貯留水槽に設けられた阻害物質測定手段により阻害物質濃度を求め、前記メタン発酵槽に設けられたメタン菌重量測定手段によりメタン発酵槽におけるメタン菌重量を求め、これらメタン発酵槽におけるメタン菌重量と、このメタン発酵槽に流入する被処理水中の前記阻害物質濃度と単位時間当たりの流量とから求まる、単位メタン菌重量当りの阻害物質負荷量を変化させた場合の、各阻害物質負荷量毎の被処理水の、前記阻害物質濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整する制御装置とを備えたことを特徴とする。
【００１０】
また、本発明による有機性廃水の処理装置では、阻害物質測定手段としてアンモニア濃度測定手段を用い、制御装置は、前記アンモニア濃度測定手段により測定されたメタン発酵槽に流入する被処理水中のアンモニア濃度と単位時間当たりの流量とから求まる、単位メタン菌重量当りのアンモニア負荷量を変化させた場合の、各アンモニア負荷量毎の、被処理水の前記アンモニア濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整する。
【００１１】
ことを特徴とする請求項４に記載の有機性廃水の処理装置。
【００１２】
また、本発明による有機性廃水の処理装置では、アンモニア濃度測定手段として、全窒素計を用い、測定された全窒素濃度からアンモニア濃度を得るようにしてもよい。
【００１３】
さらに、本発明による有機性廃水の処理装置は、有機性廃水に対して希釈水を添加する希釈貯留水槽と、この希釈貯留水槽に設けられ、希釈水を添加された希釈貯留水槽内の被処理水の浮遊物質を測定するＳＳ計と、この希釈貯留水槽内の被処理水をメタン発酵槽に供給する流量調整機能を有する被処理水供給装置と、前記メタン発酵槽に設けられたＳＳ計及び汚泥界面計と、前記希釈貯留水槽に設けられたＳＳ計の値から被処理水の有機物濃度を求め、前記メタン発酵槽に設けられたＳＳ計及び汚泥界面計の値からメタン発酵槽におけるメタン菌重量を求め、これらメタン発酵槽におけるメタン菌重量と、このメタン発酵槽に流入する被処理水の有機物濃度と単位時間当たりの流量とから求まる、単位メタン菌重量当りの有機物負荷量を変化させた場合の、各有機物負荷量毎の、被処理水の前記有機物濃度に対するメタン発酵槽の有機物除去率の変化の関係を予め求めて設定しておき、この設定された関係を用いて、前記メタン発酵槽の有機物除去率が所定の値になるように、前記希釈貯留水槽にて有機性廃水に添加される希釈水の添加量と、この被処理水のメタン発酵槽への供給量とのいずれかまたは双方を調整する制御装置とを備えた構成でもよい。
【発明の効果】
【００１４】
本発明によれば、メタン発酵槽の阻害物質負荷量または有機物負荷量が、メタン発酵性能である有機物除去効率の低下に繋がらない程度まで低下するように希釈水の添加量を減じることができるので、希釈水の添加量を必要最小限とし、しかも、メタン発酵性能の低下を生じることなく有機性廃水を嫌気性処理することができる。
【発明を実施するための最良の形態】
【００１５】
以下、本発明による有機性廃水の処理方法及び装置の一実施の形態について、図面を用いて詳細に説明する。
【００１６】
図1は、本発明の基本的考え方を説明するもので有り、この装置構成により実験を行い、図２で示す知見を得た。ここでは、嫌気性処理に対する阻害物質の濃度と有機性廃水の有機物濃度とが相関性を有するものとして実験を行った。
【００１７】
図１において、１１は有機性廃水（以下、原水と呼ぶ）を貯留する原水槽で、ポンプ１２により原水を希釈貯留水槽１３に供給する。希釈貯留水槽１３は、原水槽１１から送られてきた原水に対し、水槽１４内の希釈水をポンプ１５により添加して希釈し、後段のメタン発酵槽１６での被処理水（以下、希釈廃水と呼ぶ）として貯留する。希釈貯留水槽１６内の希釈廃水（被処理水）は、ポンプ１７によりメタン発酵槽１６に供給され、このメタン発酵槽１６内のメタン菌によりメタン発酵処理され、処理水として排出される。
【００１８】
このような設備における希釈廃水の有機物濃度と、メタン発酵槽１６の有機物負荷量と、メタン発酵槽１６の有機物除去率との関係を調査した。希釈廃水の有機物濃度は化学的酸素要求量（以下、ＣＯＤと呼ぶ）を用いた。メタン発酵槽１６の有機物負荷量は、単位時間あたり、単位メタン菌重量あたりにメタン発酵槽へ流入する有機物量（有機物濃度×流入流量）で求めた。有機物除去率は、メタン発酵槽１６で処理された処理水のＣＯＤと、処理前の希釈廃水のＣＯＤとから求めた。
【００１９】
この実験結果を整理すると図２に示す知見が得られた。図２は、メタン発酵槽１６への有機物負荷量を低、中、高と変化させた場合の、各有機物負荷量毎の希釈廃水の有機物濃度に対するメタン発酵槽１６の有機物除去率の変化の関係を示している。図から明らかなように、メタン発酵槽１６への有機物負荷量が低い場合は希釈廃水の有機物濃度はメタン発酵槽１６の有機物除去率へは殆ど影響しない。しかし、メタン発酵槽１６の有機物負荷量を高くすると、希釈廃水の有機物濃度が高くなるに従ってメタン発酵槽１６の有機物除去率は低下した。
【００２０】
このように、メタン発酵槽１６の性能(＝有機物除去率)は、メタン発酵槽１６の有機物負荷量と希釈廃水の有機物濃度に影響されることがわかった。
【００２１】
したがって、この図２に示す関係を用いて、メタン発酵槽１６の有機物除去率が所定の値（性能低下とならない値）になるように、有機性廃水に添加される希釈水の添加量と、この希釈廃水のメタン発酵槽への供給量とのいずれかまたは双方を調整して、被処理水の有機物濃度および前記メタン菌重量当りの有機物負荷量を決定する。このことから、有機物負荷量を、メタン発酵性能である有機物除去効率の低下に繋がらない程度まで低下するように希釈水の添加量を減じることができる。したがって、希釈水の添加量を必要最小限とし、しかも、メタン発酵性能の低下を生じることなく有機性廃水を嫌気性処理することができる。
【００２２】
上記基本的な考え方に基き、実際の水処理システムに適用した場合のシステム構成を図３により説明する。図３の設備においても、図１と同様に原水槽１１、希釈貯留水槽１３、メタン発酵槽１６を有し、さらに、これらに関連する設備として、希釈水槽１４、ポンプ１２，１５，１７を有するものとする。上記原水槽１１、希釈貯留水槽１３、メタン発酵槽１６には、それぞれ浮遊物質（ＳＳ）計（以下、ＳＳ計と呼ぶ）２１，２２，２３を設ける。これらＳＳ計２１，２２，２３は、対応する槽１１，１３，１６のＳＳ値を計測し、それぞれ制御装置２５へ出力する。
【００２３】
一般的にＳＳ値とＣＯＤは高い相関性を有することが期待されるのでＳＳ値をＣＯＤの代替値として使用できる。すなわち、予め実験によって相関式を作成し、これを制御装置２５に設定しておくことで、各ＳＳ計２１，２２，２３で測定したＳＳ値からＣＯＤを求めることができる。
【００２４】
また、メタン発酵槽１６には、汚泥界面計２４を設け、メタン発酵槽１６の汚泥界面値を計測する。この計測された汚泥界面高さと、メタン発酵槽１６の容積（既知の値）から、メタン発酵槽１６に占める汚泥容積、すなわち、メタン菌の見かけの容積を得ることができる。そして、この容積値とメタン発酵槽１６のＳＳ値から、メタン発酵槽１６におけるメタン菌重量が求まる。したがって、ＳＳ計２３及び汚泥界面計24は、メタン金の重量測定手段として機能する。
【００２５】
希釈貯留水槽１３に原水（有機性廃水）を供給するポンプ（以下、廃水ポンプと呼ぶ）１２と、希釈貯留水槽１３に希釈水を供給するポンプ（以下、送水ポンプと呼ぶ）１５との流量を調整することにより、希釈貯留水槽１３における希釈廃水の有機物濃度を調整する。また、希釈廃水をメタン発酵槽１６に供給するポンプ（以下、希釈廃水ポンプと呼ぶ）１７の流量を調整することにより、メタン発酵槽１６への有機物負荷量を調整することができる。ここで、上記希釈廃水ポンプ１７は、希釈貯留水槽１３内の希釈廃水（被処理水）をメタン発酵槽１６に供給する、流量調整機能を有する被処理水供給装置として機能する。
【００２６】
このような設備において、予め実験により図２に相当する関係を求めておく。すなわち、希釈貯留水槽１３のＳＳ値を換算して得られる有機物濃度と、メタン発酵槽１６のＳＳ値及び汚泥界面値より得られるメタン発酵槽１６に含まれるメタン菌重量と、メタン発酵槽１６の有機物除去率とを求めておく。制御装置２５は、メタン発酵槽１６におけるメタン菌重量と、このメタン発酵槽１６に流入する希釈廃水（被処理水）の、有機物濃度と単位時間当たりの流量とから、前記メタン菌重量当りの有機物負荷量を求める。そして、図２で示したように、この有機物負荷量を変化させた場合の、各有機物負荷量毎の希釈廃水の有機物濃度に対するメタン発酵槽１６の有機物除去率の変化の関係を予め求め、設定しておく。
【００２７】
制御装置２５はこの関係に基づいて、希釈貯留水槽のＳＳ値から換算される有機物濃度が、メタン発酵槽１６の有機物除去率が低下しない程度まで送水ポンプ１５を制御し、希釈水を添加する。このようにメタン発酵槽１６に供給される有機物負荷に応じて希釈水の添加量を調節することで、メタン発酵性能が低下せず、かつ水の添加量が最小に抑えられる。
【００２８】
また、図３の構成において、廃水量あるいは濃度が非常に大きくなり、必要量の水の添加ができない場合、図２の関係に基づいて、メタン発酵槽１６の有機物負荷がメタン発酵性能の低下につながらない程度まで低下するように、希釈廃水ポンプ１７の流量を減ずることによって、メタン発酵性能の低下を防止できる。
【００２９】
すなわち、前記メタン発酵槽の有機物除去率が所定の値になるように、有機性廃水に添加される希釈水の添加量と、この希釈廃水（被処理水）のメタン発酵槽１６への供給量とのいずれかまたは双方を調整して、被処理水の有機物濃度および前記メタン菌重量当りの有機物負荷量を決定することにより、希釈水の添加量を必要最小限とし、メタン発酵性能の低下を生じることなく有機性廃水を嫌気性処理することができる。
【００３０】
上記実施の形態では、嫌気性処理に対する阻害物質の濃度と有機性廃水の有機物濃度とが相関性を有するものとして、計測技術が確立している有機物濃度を用い、オンライン処理可能なＳＳ計の測定値からＣＯＤを求めている。勿論、阻害物質濃度が計測可能であれば、有機物濃度に代って、阻害物質濃度を用いれば同様に実施可能である。すなわち、希釈廃水（被処理水）の阻害物質濃度およびメタン発酵槽におけるメタン菌重量当りの阻害物質負荷量から、図２で示す関係を予め求めておけば、希釈水の添加量を必要最小限とし、メタン発酵性能の低下を生じることなく有機性廃水を嫌気性処理することができる。
【００３１】
ここで、廃水中に含まれるアンモニアがメタン発酵を阻害することは、例えば、文献  M. HENZE and P. HARREMOES: Wat. Sci.Tech. Vo.15, p.23などにより知られている。アンモニアの計測手段は技術的に確立されているので、廃水のアンモニアが阻害の主要因であると判明している場合、図３における原水槽１１と希釈貯留槽１３のＳＳ計に代って、図４で示すように、アンモニア計測手段３１，３２を、阻害物質計測手段として設ければよい。このアンモニア計測手段３１，３２としては、市販のアンモニア計や全窒素計を用いればよい。
【００３２】
この場合、希釈廃水（被処理水）のアンモニア濃度およびメタン発酵槽１６におけるメタン菌重量当りのアンモニア負荷量から、図２で示す関係を予め求めておけば、希釈水の添加量を必要最小限とし、メタン発酵性能の低下を生じることなく有機性廃水を嫌気性処理することができる。
【図面の簡単な説明】
【００３３】
【図１】本発明による有機性廃水の処理法及び装置の基本的な考え方を説明する概念構成図である。
【図２】本発明の一実施の形態で使用するメタン発酵槽の有機物負荷量と被処理水の有機物濃度とメタン発酵槽の有機物除去率との関係を表す特性図である。
【図３】本発明による有機性廃水の処理装置の一実施の形態を示すシステムブロック図である。
【図４】本発明による有機性廃水の処理装置の他の実施の形態を示すシステムブロック図である。
【符号の説明】
【００３４】
１３    希釈貯留水槽
１４    希釈水槽
１６    メタン発酵処理槽
１７    被処理水供給装置
２１，２２，２３    ＳＳ計
２４    汚泥界面計
２５    制御装置
３１，３２    アンモニア計測手段
【図１】
2007237055.tif 000003
【図２】
2007237055.tif 000004
【図３】
2007237055.tif 000005
【図４】
2007237055.tif 000006